(57)【要約】      （修正有）【課題】いずれかの冷却室を、他の冷却室の室内温度を冷却温度範囲内に維持しつつ優先して冷却すること。【解決手段】複数の冷却室（冷蔵室、冷凍室）と、冷却室毎に設けられている蒸発器（冷蔵室用蒸発器、冷凍室用蒸発器）とを有し、圧縮機によって圧縮された冷媒の供給／停止を蒸発器毎に切り替える切替部（冷蔵室用電磁弁、冷凍室用電磁弁）と、各冷却室について、当該冷却室の室内温度が当該冷却室に設定されている冷却温度範囲より低くなると切替部を制御して当該冷却室に設けられている蒸発器への冷媒の供給を停止し、冷却温度範囲より高くなると切替部を制御して冷媒の供給を再開することにより、当該冷却室の室内温度が冷却温度範囲内に入るように制御する制御部と、を備え、制御部は、少なくとも１つの冷却室の冷却温度範囲を狭くすることによって他の冷却室を優先的に冷却する優先冷却制御を実行可能に構成されている、冷却貯蔵庫。【選択図】図４
2018138827.tif 000002
【特許請求の範囲】
【請求項１】
複数の冷却室と、前記冷却室毎に設けられている蒸発器とを有し、圧縮機によって圧縮された冷媒を各前記蒸発器に分配供給する冷却貯蔵庫であって、
前記圧縮機によって圧縮された冷媒の供給／停止を前記蒸発器毎に切り替える切替部と、
各前記冷却室について、当該冷却室の室内温度が当該冷却室に設定されている冷却温度範囲より低くなると前記切替部を制御して当該冷却室に設けられている前記蒸発器への冷媒の供給を停止し、前記冷却温度範囲より高くなると前記切替部を制御して冷媒の供給を再開することにより、当該冷却室の室内温度が前記冷却温度範囲内に入るように制御する制御部と、
を備え、
前記制御部は、少なくとも１つの前記冷却室の前記冷却温度範囲を狭くすることによって他の前記冷却室を優先的に冷却する優先冷却制御を実行可能に構成されている、冷却貯蔵庫。
【請求項２】
前記制御部は、いずれかの前記冷却室の室内温度がその冷却室に設定されている前記冷却温度範囲の上限温度より所定温度以上高い状態が所定時間以上継続すると前記優先冷却制御を実行してその冷却室以外の少なくとも１つの前記冷却室の前記冷却温度範囲を狭くする、請求項１に記載の冷却貯蔵庫。
【請求項３】
前記制御部は、前記優先冷却制御において、前記冷却温度範囲の下限温度を高くすることによって前記冷却温度範囲を狭くする、請求項１又は請求項２に記載の冷却貯蔵庫。
【請求項４】
前記制御部は、前記優先冷却制御を実行する場合は、前記圧縮機の回転速度を前記優先冷却制御の実行前より速くする、請求項１乃至請求項３のいずれか一項に記載の冷却貯蔵庫。
【請求項５】
前記制御部は、前記優先冷却制御を実行する場合は、前記圧縮機を最高回転速度で回転させる、請求項４に記載の冷却貯蔵庫。
【発明の詳細な説明】
【技術分野】
【０００１】
本明細書で開示する技術は、冷却貯蔵庫に関する。
【背景技術】
【０００２】
従来、複数の冷却室と、冷却室毎に設けられている蒸発器とを有し、圧縮機によって圧縮された冷媒を各蒸発器に分配供給する冷却貯蔵庫において、いずれかの冷却室を優先して冷却する技術が知られている（例えば、特許文献１参照）。
【０００３】
具体的には、特許文献１に記載の冷却貯蔵庫は冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給するものであり、各室の温度が各室に対してそれぞれ設定された設定温度を含む所定の冷却温度範囲に入るように各蒸発器への冷媒供給を制御する制御手段を備えている。
【０００４】
そして、制御手段は各室に対してそれぞれ設定された設定温度を含む所定の冷却温度範囲より高い所定の冷凍室高温閾値及び冷蔵室高温閾値を有しており、例えば冷蔵室の温度が冷蔵室高温閾値以上に上昇している状態が所定時間以上継続しており、且つ、冷凍室の温度が冷凍室高温閾値以下である場合は、冷凍室蒸発器に優先して冷蔵室蒸発器に冷媒を供給する冷蔵室優先冷却モードを実行する。そして、制御手段は、冷凍室の温度が冷凍室高温閾値以上に上昇している状態が所定時間継続した場合に冷蔵室優先冷却モードを終了する。
【先行技術文献】
【特許文献】
【０００５】
【特許文献１】特開２０１３−２０００８１号公報
【発明の概要】
【発明が解決しようとする課題】
【０００６】
しかしながら、特許文献１に記載の冷却貯蔵庫によると、冷凍室の温度が冷凍室高温閾値（すなわち冷却温度範囲より高い温度）以上に上昇している状態が所定時間継続したことが冷蔵室優先冷却モードを終了する条件であるので、冷凍室の温度が冷却温度範囲を超えてしまうという問題がある。
【０００７】
本明細書では、いずれかの冷却室を、他の冷却室の室内温度を冷却温度範囲内に維持しつつ優先して冷却することができる技術を開示する。
【課題を解決するための手段】
【０００８】
本明細書で開示する冷却貯蔵庫は、複数の冷却室と、前記冷却室毎に設けられている蒸発器とを有し、圧縮機によって圧縮された冷媒を各前記蒸発器に分配供給する冷却貯蔵庫であって、前記圧縮機によって圧縮された冷媒の供給／停止を前記蒸発器毎に切り替える切替部と、各前記冷却室について、当該冷却室の室内温度が当該冷却室に設定されている冷却温度範囲より低くなると前記切替部を制御して当該冷却室に設けられている前記蒸発器への冷媒の供給を停止し、前記冷却温度範囲より高くなると前記切替部を制御して冷媒の供給を再開することにより、当該冷却室の室内温度が前記冷却温度範囲内に入るように制御する制御部と、を備え、前記制御部は、少なくとも１つの前記冷却室の前記冷却温度範囲を狭くすることによって他の前記冷却室を優先的に冷却する優先冷却制御を実行可能に構成されている。
【０００９】
上記の冷却貯蔵庫によると、少なくとも１つの冷却室の冷却温度範囲を狭くすることによって他の冷却室を優先的に冷却するので、他の冷却室を優先的に冷却している間も当該少なくとも１つの冷却室の室内温度は冷却温度範囲内に維持される。すなわち、上記の冷却貯蔵庫によると、いずれかの冷却室（上述した他の冷却室に相当）を、他の冷却室（上述した少なくとも１の冷却室に相当）の室内温度を冷却温度範囲内に維持しつつ優先して冷却することができる。
【００１０】
また、前記制御部は、いずれかの前記冷却室の室内温度がその冷却室に設定されている前記冷却温度範囲より所定温度以上高い状態が所定時間以上継続すると前記優先冷却制御を実行してその冷却室以外の少なくとも１つの前記冷却室の前記冷却温度範囲を狭くしてもよい。
【００１１】
上記の冷却貯蔵庫によると、冷却室の室内温度がその冷却室に設定されている冷却温度範囲の上限温度より所定温度以上高い状態が所定時間以上継続した場合に、その冷却室を優先的に冷却することができる。
【００１２】
また、前記制御部は、前記優先冷却制御において、前記冷却温度範囲の下限温度を高くすることによって前記冷却温度範囲を狭くしてもよい。
【００１３】
冷却温度範囲を狭くする方法としては上限温度を低くする方向も考えられる。しかしながら、上限温度を低くすると下限温度を高くする場合に比べて前述した少なくとも１つの冷却室の室内温度を低く維持しなければならないので前述した他の冷却室の室内温度が速やかに低下しない虞がある。上記の冷却貯蔵庫によると、下限温度を高くすることによって冷却温度範囲を狭くするので、上限温度を低くする場合に比べ、他の冷却室の室内温度を速やかに下げることができる。
【００１４】
また、前記制御部は、前記優先冷却制御を実行する場合は、前記圧縮機の回転速度を前記優先冷却制御の実行前より速くしてもよい。
【００１５】
上記の冷却貯蔵庫によると、圧縮機の回転速度を優先冷却制御の実行前より速くしない場合に比べ、他の冷却室の室内温度をより速やかに下げることができる。
【００１６】
また、前記制御部は、前記優先冷却制御を実行する場合は、前記圧縮機を最高回転速度で回転させてもよい。
【００１７】
上記の冷却貯蔵庫によると、他の冷却室の室内温度をより速やかに下げることができる。
【図面の簡単な説明】
【００１８】
【図１】実施形態に係る冷却貯蔵庫の構造を示す断面図
【図２】冷凍ユニット、制御部及び操作部を示すブロック図
【図３】プルダウン運転及びコントロール運転を説明するためのグラフ
【図４】優先冷却制御を説明するためのグラフ
【図５】圧縮機の入口側に接続されている配管の温度を示すグラフ
【図６】比較例に係る圧縮機の入口側に接続されている配管の温度を示すグラフ
【図７】関連技術に係る冷蔵室の温度変化を示すグラフ
【発明を実施するための形態】
【００１９】
＜実施形態＞
以下、実施形態を図１ないし図６によって説明する。
【００２０】
（１）冷却貯蔵庫の構成
先ず、図１及び図２を参照して、実施形態に係る冷却貯蔵庫１の構成について説明する。図１に示すように、冷却貯蔵庫１は複数の冷却室（冷凍室１７、冷蔵室１８）と、冷却室毎に設けられている蒸発器（冷凍室用蒸発器４２、冷蔵室用蒸発器３７）とを有し、圧縮機３０によって圧縮された冷媒を各蒸発器に分配供給するものである。
【００２１】
具体的には、冷却貯蔵庫１は業務用の横型（テーブル型）冷凍冷蔵庫であり、前面に開口した横長の断熱箱体により構成された貯蔵庫本体１１（図１）、貯蔵庫本体１１の底面に設けられた４つの脚部１２（図１では２つのみを図示）、冷却ユニット１３（図２）、制御部１４（図２）、操作部１５（図２）などを備えている。
【００２２】
図１に示すように、貯蔵庫本体１１の内部は後付けされる断熱性の仕切壁１６によって左右に仕切られており、左の相対的に狭い側が冷凍室１７（冷却室の一例）、右の広い側が冷蔵室１８（冷却室の一例）となっている。なお、図示はしないが、冷凍室１７の前面の開口及び冷蔵室１８の前面の開口には回動式の断熱扉がそれぞれ開閉可能に装着されている。
【００２３】
貯蔵庫本体１１の正面から見た左側には機械室１９が設けられている。機械室１９には冷却ユニット１３の一部（後述する圧縮機３０や凝縮器３１など）が出し入れ可能に収納されている。機械室１９の上部には冷凍室１７側の蒸発器室２０が形成されている。蒸発器室２０は冷凍室１７から張り出した空間であり、ダクト２２を張ることで冷凍室１７と仕切られている。蒸発器室２０には冷凍室用蒸発器４２、冷凍室用庫内ファン４３、冷凍室用温度センサ４４などが収容されている。また、仕切壁１６の冷蔵室１８側にはダクト２４を張ることで冷蔵室１８側の蒸発器室２３が形成されている。蒸発器室２３には冷蔵室用蒸発器３７、冷蔵室用庫内ファン３８、冷蔵室用温度センサ３９などが収容されている。
【００２４】
次に、図２を参照して、冷却ユニット１３、制御部１４及び操作部１５について説明する。ここで、図２において複数の矢印２５は冷却ユニット１３内を冷媒が流れる方向を示している。
冷却ユニット１３は冷蔵室１８及び冷凍室１７を冷却するものであり、インバータモータを有する圧縮機３０、凝縮器３１、凝縮器３１を冷却する凝縮器ファン３２、ドライヤ３３、ストレーナ３４、冷蔵室用電磁弁３５（切替部の一例）、冷蔵室用キャピラリチューブ３６、冷蔵室用蒸発器３７（蒸発器の一例）、冷蔵室用庫内ファン３８、冷蔵室用温度センサ３９、冷凍室用電磁弁４０（切替部の一例）、冷凍室用キャピラリチューブ４１、冷凍室用蒸発器４２（蒸発器の一例）、冷凍室用庫内ファン４３、冷凍室用温度センサ４４、チェックバルブ４５（所謂逆流防止弁）などを備えている。
【００２５】
圧縮機３０、凝縮器３１、ドライヤ３３及びストレーナ３４は配管によってこの順で接続されている。ストレーナ３４の出口側に接続されている配管４６は途中で２つに分岐しており、分岐した一方が冷蔵室用電磁弁３５に接続されているとともに、分岐した他方が冷凍室用電磁弁４０に接続されている。
冷蔵室用電磁弁３５には冷蔵室用キャピラリチューブ３６と冷蔵室用蒸発器３７とが配管によってこの順で接続されており、冷蔵室用蒸発器３７の出口側に接続されている配管４７が圧縮機３０の入口側に接続されている。また、冷凍室用電磁弁４０には冷凍室用キャピラリチューブ４１、冷凍室用蒸発器４２及びチェックバルブ４５が配管によってこの順で接続されており、チェックバルブ４５の出口側に接続されている配管４８が配管４７と合流して圧縮機３０の入口側に接続されている。
【００２６】
なお、ここでは圧縮機３０としてインバータモータを有する圧縮機３０を例に説明するが、圧縮機３０はインバータモータを有するものに限定されるものではない。また、ここでは冷媒を絞る絞り装置として冷蔵室用キャピラリチューブ３６及び冷凍室用キャピラリチューブ４１を例に説明するが、絞り装置はキャピラリチューブに限定されるものではない。
【００２７】
制御部１４はＣＰＵ、ＲＯＭ、ＲＡＭなどを備えており、冷却貯蔵庫１の各部を制御する。なお、制御部１４はＣＰＵに替えてＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などを備えていてもよい。
【００２８】
操作部１５はオペレータが冷蔵室１８の目標温度や冷凍室１７の目標温度などを設定するためのものであり、各種の操作ボタン、設定されている目標温度や現在の室内温度などを表示する表示装置などを備えている。
【００２９】
（２）冷蔵室及び冷凍室の冷却温度範囲
次に、図３を参照して、冷蔵室１８及び冷凍室１７の冷却温度範囲について説明する。なお、図３では冷蔵室１８の冷却温度範囲のみを示している。冷却温度範囲は冷蔵室１８や冷凍室１７の許容される温度範囲であり、本実施形態では設定された目標温度（以下、設定温度という）を基準にして設定される。
【００３０】
具体的には、本実施形態では冷蔵室１８の冷却温度範囲の上限温度は「冷蔵室１８の設定温度＋２．０Ｋ」に設定され、下限温度は「冷蔵室１８の設定温度−２．０Ｋ」に設定される。同様に、冷凍室１７の冷却温度範囲の上限温度は「冷凍室１７の設定温度＋２．０Ｋ」に設定され、下限温度は「冷凍室１７の設定温度−２．０Ｋ」に設定される。なお、冷却温度範囲をどのように設定するかは適宜に選択可能である。
【００３１】
（３）制御部による冷却ユニットの運転
図３を参照して、制御部１４による冷却ユニット１３の運転について説明する。制御部１４による冷却ユニット１３の運転には、電源を投入した直後のように室内温度が相当に高い状態から室内温度を下げるプルダウン運転と、室内温度が冷却温度範囲内に入るように制御するコントロール運転とがある。以下、プルダウン運転及びコントロール運転について、冷蔵室１８を例に説明する。
【００３２】
プルダウン運転では、制御部１４は室内温度が目標温度カーブに沿って低下するように圧縮機３０の回転数を調整し、冷蔵室１８の室内温度が冷蔵室１８の冷却温度範囲の上限温度に達するとコントロール運転に移行する。ここで回転数とは単位時間当たりの回転数のことをいう。なお、単位時間当たりの回転数は回転速度と言い換えることもできる。
【００３３】
コントロール運転では、制御部１４は圧縮機３０の回転数を落として運転する。そして、制御部１４は、冷蔵室１８の室内温度が冷蔵室１８の冷却温度範囲の下限温度より低くなるとそれ以上室内温度が低下しないようにするために冷蔵室用電磁弁３５を閉じる（すなわち冷蔵室用蒸発器３７への冷媒の供給を停止する）。冷蔵室用電磁弁３５を閉じると室内温度が徐々に上昇する。制御部１４は冷蔵室１８の室内温度が冷却温度範囲の上限温度より高くなると室内温度を下げるために冷蔵室用電磁弁３５を開く（すなわち冷蔵室用蒸発器３７への冷媒の供給を再開する）。冷蔵室用電磁弁３５を開くと室内温度が再び下降する。これを繰り返すことによって冷蔵室１８の室内温度がほぼ冷却温度範囲内に維持される。冷凍室１７についても同様である。
【００３４】
なお、制御部１４は、冷蔵室１８の室内温度が冷蔵室１８の冷却温度範囲の下限温度に達すると冷蔵室用電磁弁３５を閉じ、上限温度に達すると冷蔵室用電磁弁３５を開いてもよい。すなわち、「下限温度より低くなると」は「下限温度以下になると」と言い換えることができ、同様に「上限温度より高くなると」は「上限温度以上になると」と言い換えることができる。
【００３５】
ここで、図３には示されていないが、制御部１４は、冷蔵室１８の室内温度が下限温度に達してから上限温度まで上昇する期間（言い換えると冷蔵室用電磁弁３５が閉じている期間）と、冷凍室１７の室内温度が下限温度に達してから上限温度まで上昇する期間（言い換えると冷凍室用電磁弁４０が閉じている期間）とが重なった場合には圧縮機３０を停止させるものとする。そして、制御部１４はいずれか一方の冷却室の室内温度が上限温度に達すると当該一方の冷却室の電磁弁を開いて圧縮機３０の運転を再開する。
【００３６】
（４）冷蔵室の優先冷却制御
次に、図４を参照して、冷蔵室１８の優先冷却制御について説明する。冷蔵室１８の優先冷却制御は、コントロール運転時に冷蔵室１８の断熱扉が開けられたり冷蔵室１８に大量の食材が収容されたりすることによって冷蔵室１８の室内温度が一時的に上昇した場合に、冷蔵室１８の室内温度を速やかに下げるために冷蔵室１８を優先して冷却する制御である。
【００３７】
ここで、本実施形態では冷蔵室１８の冷却温度範囲の上限温度より＋１．０Ｋ高い温度から冷蔵室１８の冷却温度範囲の下限温度までの温度領域をバランス領域といい、冷蔵室１８の冷却温度範囲の上限温度より＋１．０Ｋ高い温度のことをバランス領域上限温度というものとする。また、本実施形態ではバランス領域上限温度より上の温度領域をプルダウン領域というものとする。なお、バランス領域上限温度は冷蔵室１８の冷却温度範囲の上限温度より＋１．０Ｋ高い温度に限定されるものではなく、適宜に決定することができる。
【００３８】
図４に示す例では時点Ｔ１において冷蔵室１８の室内温度が冷蔵室１８の冷却温度範囲の下限温度に達しており、時点Ｔ２において冷蔵室１８の室内温度が上限温度に達している。この場合、制御部１４は時点Ｔ１で冷蔵室用電磁弁３５を閉じ、時点Ｔ２で冷蔵室用電磁弁３５を開ける。
【００３９】
ここで、図４に示す例では、時点Ｔ１から時点Ｔ２までの間に冷蔵室１８の断熱扉が開けられた（あるいは大量の食材が収容された）ものとする。このため、図４では時点Ｔ２で冷蔵室用電磁弁３５を開いても冷蔵室１８の室内温度は上昇し続けており、時点Ｔ３で冷蔵室１８の室内温度がバランス領域上限温度に達している。
【００４０】
そして、図４に示す例では、冷蔵室１８の室内温度がバランス領域上限温度以上である状態（言い換えるとプルダウン領域にある状態）が、時点Ｔ３から所定時間（ここでは３分）が経過した時点Ｔ４まで継続している。制御部１４は、冷蔵室１８の室内温度がプルダウン領域にある状態が３分以上継続した場合は、冷蔵室１８を優先して冷却するために優先冷却制御を開始する。優先冷却制御では制御部１４は以下の２つの処理を実行する。
【００４１】
（ａ１）冷凍室１７の冷却温度範囲の下限温度を設定温度まで上げることによって冷凍室１７の冷却温度範囲を狭くする。
（ａ２）圧縮機の回転数を最高回転数にする。
【００４２】
図４に示す例では、時点Ｔ４において冷凍室１７の室内温度は設定温度と元の下限温度（＝設定温度−２．０Ｋ）との間にあり、冷凍室用電磁弁４０は開かれている。通常時であれば下限温度に達する前の冷却途中であるので冷凍室用電磁弁４０はそのまま開状態が維持されて冷凍室用蒸発器４２への冷媒の供給が継続されるが、優先冷却制御によって冷凍室１７の下限温度を設定温度まで上げると時点Ｔ４において冷凍室１７の室内温度は冷凍室１７の冷却温度範囲の下限温度（＝設定温度）より低くなるので、制御部１４は時点Ｔ４において冷凍室用電磁弁４０を閉じる（すなわち冷凍室用電磁弁４０への冷媒の供給を停止する）。冷凍室用電磁弁４０を閉じると圧縮機３０によって圧縮された冷媒が全て冷蔵室用蒸発器３７に送られるので、冷蔵室１８が優先的に冷却される。ただし、冷凍室１７の室内温度は上昇する。
【００４３】
図４に示す例では、時点Ｔ５で冷凍室１７の室内温度が冷凍室１７の冷却温度範囲の上限温度に達している。このため、制御部１４は時点Ｔ５において冷凍室用電磁弁４０を開いて冷凍室用蒸発器４２への冷媒の供給を再開する。ただし、冷凍室１７の下限温度は優先冷却制御を実行する前に比べて高くなっていることから、冷凍室１７の室内温度は比較的短い時間で冷凍室１７の下限温度（＝設定温度）に達する。図４では時点Ｔ６で冷凍室１７の室内温度が下限温度（＝設定温度）に達しているので、制御部１４は時点Ｔ６で冷凍室用電磁弁４０を閉じる。
【００４４】
そして、図４では時点Ｔ７において冷蔵室１８の室内温度が冷蔵室１８の下限温度まで下がっている。制御部１４は冷蔵室１８の室内温度が下限温度に達すると優先冷却制御を終了する。優先冷却制御の終了では、制御部１４は冷凍室１７の冷却温度範囲の下限温度を元の下限温度（＝設定温度−２．０Ｋ）に戻す。
【００４５】
図４に示す例では、優先冷却制御を終了した時点Ｔ７において冷蔵室１８の室内温度が冷蔵室１８の下限温度まで下がっているとともに、冷凍室用電磁弁４０が閉じているので、冷凍室用蒸発器４２及び冷蔵室用蒸発器３７のどちらにも冷媒を供給しなくてよい状態となる。このため、制御部１４は時点Ｔ７で圧縮機３０を停止させる。圧縮機３０を停止させた場合は、制御部１４は冷却ユニット１３内の圧力を均一にするために冷蔵室用電磁弁３５及び冷凍室用電磁弁４０を開く（既に開いている場合は開状態を維持する）。
【００４６】
なお、図４に示す例では時点Ｔ７において冷凍室用電磁弁４０が閉じているが、時点Ｔ７において冷凍室用電磁弁４０が開いている場合もある。その場合は圧縮機３０は停止されず、冷凍室１７の冷却が継続される。なお、その場合は冷蔵室用電磁弁３５が閉じられる。
【００４７】
図４に示す例では、時点Ｔ７において圧縮機３０を停止させた後、時点Ｔ８で冷凍室１７の室内温度が冷凍室１７の上限温度に達している。このため、制御部１４は冷凍室１７を冷却するために時点Ｔ８で圧縮機３０の運転を再開する。ここで、時点Ｔ８では冷蔵室用電磁弁３５も冷凍室用電磁弁４０も開けられているので、そのままでは冷蔵室用蒸発器３７にも冷媒が送られてしまう。時点Ｔ８では冷蔵室１８の室内温度はまだ冷蔵室１８の上限温度に達していないので、制御部１４は冷蔵室用蒸発器３７に冷媒が送られないようにするために時点Ｔ８において冷蔵室用電磁弁３５を閉じる。
【００４８】
ここで、図４において点線５０は冷凍室１７の冷却温度範囲を狭くしなかった場合（すなわち冷凍室１７の冷却温度範囲は狭くせずに圧縮機３０の回転数を最高回転数にしただけの場合）の冷蔵室１８の室内温度の変化を比較例として示している。冷却温度範囲を狭くしなかった場合は時点Ｔ４において冷凍室用電磁弁４０は閉じられないので冷凍室用蒸発器４２にも継続して冷媒が送られる。このため、点線５０で示すように冷蔵室１８の室内温度の低下は緩やかとなり、時点Ｔ７においても下限温度より高くなっている。そして、時点Ｔ９において漸く下限温度に達している。
【００４９】
これに対し、優先冷却制御では圧縮機３０の回転数を最高回転数にすることに加えて冷凍室１７の冷却温度範囲も狭くするので、冷蔵室１８の室内温度は時点Ｔ９より大幅に早い時点Ｔ７で冷却温度範囲の下限温度に達している。すなわち冷蔵室１８の室内温度が速やかに低下している。これは、冷凍室１７の冷却温度範囲を狭くしたことによって冷蔵室１８を単独で冷却する機会が増えたためである。
このように、冷凍室１７の冷却温度範囲を狭くすると冷蔵室１８を単独で冷却する機会が増えるので、冷蔵室１８の冷却性能を向上させることができる。
【００５０】
（５）優先冷却制御の後に圧縮機を停止させた場合に、その後に最初に圧縮機の運転を再開するときの圧縮機の回転数の制御
制御部１４は、圧縮機３０を停止させた後に圧縮機３０の運転を再開するときは、最初の１５秒間は所定の周波数（例えば２７Ｈｚ）で回転させ、その後の一定時間は、基本的には圧縮機３０を停止させる前の回転数を引き継いで圧縮機３０を運転する。しかしながら、優先冷却制御が終了した後に圧縮機３０を停止させた場合は、圧縮機３０を停止させる前の回転数は最高回転数であるので、最高回転数を引き継ぐことになってしまう。最高回転数を引き継いでしまうと次に説明する液圧縮によって圧縮機３０が故障してしまう虞がある。
【００５１】
図６は、圧縮機３０を最初の１５秒間は所定の周波数で回転させた後、直ちに最高回転数で運転した場合の、圧縮機３０の入口側に接続されている配管４９の温度変化を示している。優先冷却制御では圧縮機３０を最高回転数で運転するので冷蔵室用蒸発器３７や冷凍室用蒸発器４２の温度が低下しており、最高回転数を引き継ぐと冷蔵室用蒸発器３７や冷凍室用蒸発器４２に残っている冷媒が液の状態で圧縮機３０に戻ってしまう可能性がある。具体的には、図６に示す例では配管４９の温度が−２０℃であり、冷蔵室用蒸発器３７や冷凍室用蒸発器４２に残っている冷媒が液の状態で圧縮機３０に戻ってしまう。冷媒が液の状態で戻ると液圧縮となって圧縮機３０が故障する虞がある。
【００５２】
そこで、制御部１４は、優先冷却制御の後に圧縮機３０を停止させた場合に、その後に最初に圧縮機３０の運転を再開するとき、最初の１５秒間は所定の周波数で回転させ、その後の一定時間は、最高回転数ではなく、優先冷却制御を除いて前回圧縮機３０を停止させたときの直前の回転数で圧縮機３０を運転する。ここで優先冷却制御を除いて前回圧縮機３０を停止させたときとは、優先冷却制御を除いて、前回、冷蔵室１８の室内温度が下限温度に達してから上限温度まで上昇する期間（すなわち冷蔵室用電磁弁３５が閉じている期間）と、冷凍室１７の室内温度が下限温度に達してから上限温度まで上昇する期間（すなわち冷凍室用電磁弁４０が閉じている期間）とが重なって圧縮機３０を停止させたときのことをいう。
【００５３】
図５は、優先冷却制御を除いて前回圧縮機３０を停止させたときの直前の回転数で圧縮機３０を運転した場合の、圧縮機３０の入口側に接続されている配管４９の温度変化を示している。図５に示すように、この場合は配管４９の温度がプラスとなり、冷媒は液の状態で戻らない。このため、液圧縮による圧縮機３０の故障を抑制することができる。
【００５４】
（６）実施形態の効果
以上説明した実施形態に係る冷却貯蔵庫１によると、冷凍室１７（少なくとも１つの冷却室の一例）の冷却温度範囲を狭くすることによって冷蔵室１８（他の冷却室の一例）を優先的に冷却するので、冷蔵室１８を優先的に冷却している間も冷凍室１７の室内温度は冷却温度範囲内に維持される。すなわち、冷却貯蔵庫１によると、いずれかの冷却室（ここでは冷蔵室１８）を、他の冷却室（ここでは冷凍室１７）の室内温度を冷却温度範囲内に維持しつつ優先して冷却することができる。
【００５５】
また、冷却貯蔵庫１によると、通常の断熱扉の開閉頻度では優先冷却制御は働かないので、ＪＩＳ（日本工業規格）の消費電力量試験を実施した場合、消費電力量は従来の制御と変わらないという利点もある。ここでいう従来の制御とは、コントロール運転中に冷蔵室１８の室内温度がプルダウン領域まで上昇した場合に、本実施形態のように冷却温度範囲を狭くしたり圧縮機の回転数を最高回転数にしたりするのではなく、プルダウン運転によって室内温度が目標温度カーブに沿って下降するように圧縮機の回転数を調整する制御のことをいう。
【００５６】
また、冷却貯蔵庫１によると、冷蔵室１８の室内温度がプルダウン領域にある状態が３分以上継続した場合に、冷蔵室１８を優先的に冷却することができる。
【００５７】
また、冷却貯蔵庫１によると、優先冷却制御において、冷凍室１７の冷却温度範囲の下限温度を高くすることによって冷却温度範囲を狭くする。冷却温度範囲を狭くする方法としては上限温度を低くする方向も考えられるが、上限温度を低くすると下限温度を高くする場合に比べて冷凍室１７の室内温度を低く維持しなければならないので冷蔵室１８の室内温度が速やかに低下しない虞がある。冷却貯蔵庫１によると、下限温度を高くすることによって冷却温度範囲を狭くするので、上限温度を低くする場合に比べ、冷蔵室１８の室内温度を速やかに下げることができる。
【００５８】
また、冷却貯蔵庫１によると、優先冷却制御を実行する場合は圧縮機３０の回転数を優先冷却制御の実行前より速くするので、優先冷却制御の実行前より速くしない場合に比べ、冷蔵室１８の室内温度をより速やかに下げることができる。
【００５９】
また、冷却貯蔵庫１によると、優先冷却制御を実行する場合は圧縮機３０を最高回転数で運転するので、冷蔵室１８の室内温度をより速やかに下げることができる。
【００６０】
また、冷却貯蔵庫１によると、優先冷却制御の後に圧縮機３０を停止させた場合は、その後に最初に圧縮機３０の運転を再開するとき、最初の１５秒間は所定の周波数で回転させ、その後の一定時間は、最高回転数ではなく、優先冷却制御を除いて前回圧縮機３０を停止させたときの直前の回転数で圧縮機３０を運転するので、液圧縮による圧縮機３０の故障を抑制することができる。
【００６１】
＜関連技術＞
次に、関連技術を図７によって説明する。
関連技術に係る冷却貯蔵庫は冷蔵室のみを備える冷却貯蔵庫、又は、冷蔵室と冷凍室とを備えており、それぞれに圧縮機が独立して設けられている冷却貯蔵庫である。なお、関連技術に係る冷却貯蔵庫は冷凍室のみを備える冷却貯蔵庫であってもよい。
【００６２】
従来は、コントロール運転中に断熱扉が開けられるなどによって冷蔵室の室内温度がプルダウン領域まで上昇した場合は、室内温度が目標温度カーブに沿って下降するように圧縮機の回転数を調整していた。このため圧縮機の回転数が最高回転数にならない場合があり、使用環境によっては冷却スピードが遅くなってしまう虞があった。
【００６３】
そこで、図７に示すように、関連技術に係る制御部は、冷蔵室の室内温度がプルダウン領域にある状態が所定時間（ここでは３分）以上経過した場合は、圧縮機の回転数を最高回転数にする急速冷却制御を実行する。そして、制御部は、冷蔵室の室内温度が下限温度に達すると急速冷却制御を終了して圧縮機を停止させる。
【００６４】
また、図７に示すように、制御部は急速冷却制御を終了して圧縮機を停止させた場合は、その後に圧縮機の回転を再開するとき、最初の１５秒間は所定の周波数で回転させ、その後、最高回転数で運転するのではなく、急速冷却制御を除いて前回圧縮機を停止させたときの直前の回転数で圧縮機を回転させる。このため、液圧縮による圧縮機の故障を抑制することができる。
【００６５】
＜他の実施形態＞
本明細書によって開示される技術は上記記述及び図面によって説明した実施形態に限定されるものではなく、例えば次のような実施形態も本明細書によって開示される技術的範囲に含まれる。
【００６６】
（１）上記実施形態では優先冷却制御において冷凍室１７の冷却温度範囲を狭くするとともに圧縮機３０の回転数を最高回転数にしているが、冷凍室１７の冷却温度範囲を狭くするだけであってもよい。
【００６７】
（２）上記実施形態ではいずれかの冷却室の室内温度がその冷却室に設定されている冷却温度範囲の上限温度より所定温度以上高い状態（すなわちプルダウン領域にある状態）が所定時間以上継続した場合に優先冷却制御を実行する場合を例に説明した。しかしながら、優先冷却制御を実行する契機はこれに限定されるものではなく、適宜に選択可能である。例えば、室内温度がバランス領域上限温度ではなく冷却温度範囲の上限温度より高い状態が所定時間以上継続すると優先冷却制御を実行してもよいし、バランス領域上限温度に達すると直ちに優先冷却制御を実行してもよい。
【００６８】
（３）上記実施形態では優先冷却制御において冷却温度範囲の下限温度を設定温度まで上げる場合を例に説明したが、冷却温度範囲の下限温度を上げる場合の温度は設定温度に限られるものではなく、適宜に選択可能である。例えば冷却温度範囲の下限温度を設定温度より高い温度にしてもよいし、設定温度より低い温度にしてもよい。
【００６９】
（４）上記実施形態では冷蔵室１８を優先的に冷却する場合を例に説明したが、冷凍室１７を優先的に冷却してもよい。
【００７０】
（５）上記実施形態では優先冷却制御を実行する場合は圧縮機３０を最高回転数で回転させる場合を例に説明したが、圧縮機３０の回転数は優先冷却制御の実行前より速ければよく、必ずしも最高回転数でなくてもよい。
【００７１】
（６）上記実施形態では冷却室が冷蔵室１８と冷凍室１７との２つである場合を例に説明したが、冷却室は３つ以上あってもよい。その場合、２以上の冷却室の冷却温度範囲を狭くすることによって他の冷却室を優先的に冷却してもよい。
【００７２】
（７）上記実施形態では切替部として冷蔵室用電磁弁３５と冷凍室用電磁弁４０とを例に説明したが、切替部は圧縮機３０によって圧縮された冷媒の供給／停止を蒸発器毎に切り替えることができるものであればこれらに限られるものではない。
【符号の説明】
【００７３】
１…冷却貯蔵庫、１４…制御部、１７…冷凍室（冷却室の一例）、１８…冷蔵室（冷却室の一例）、３０…圧縮機、３５…冷蔵室用電磁弁（切替部の一例）、３７…冷蔵室用蒸発器（蒸発器の一例）、４０…冷凍室用電磁弁（切替部の一例）、４２…冷凍室用蒸発器（蒸発器の一例）
【図１】
2018138827.tif 000003
【図２】
2018138827.tif 000004
【図３】
2018138827.tif 000005
【図４】
2018138827.tif 000006
【図５】
2018138827.tif 000007
【図６】
2018138827.tif 000008
【図７】
2018138827.tif 000009